(57)【要約】【課題】複数の蓄電池から構成される電池パック４の充電状態を簡易的に判別できるようにすること。【解決手段】電動工具に挿入されて電動工具を駆動し、充電器に挿入されて充電される電池パック４の挿入部面にスライド可能なスライド子６を設け、電動工具または充電器に挿入された時にハウジング側突起部１０または充電器側突起部１３によりスライド子６を互いに逆方向にスライドさせ、スライド子６の位置により電池パック４の充電状態を簡易に判別できるようにした。【選択図】　図１
2004095299.tif 000002
【特許請求の範囲】
【請求項１】
電池パック使用機器に挿入されて使用機器を駆動し、充電器に挿入されて充電される電池パックにおいて、
電池パックの挿入部面にスライド可能なスライド子を設け、使用機器または充電器に挿入された時にスライド子を逆方向にスライドさせるようにしたことを特徴とする電池パックの充電状態簡易判別機構。
【請求項２】
前記スライド子は、充電器の電池パック挿入口に設けられた突起部または使用機器の電池パック挿入口に設けられた突起部が電池パックの移動口に入ることで移動するようテーパ部あるいは円弧部を具備したことを特徴とする請求項１記載の電池パックの充電状態簡易判別機構。
【請求項３】
前記スライド子には充電器あるいは本体蓄電池挿入口に具備している突起部が蓄電池内に挿入され移動した時、前記突起部とは異なる突起部が挿入されない限り、スライド子はその場所に留められるよう、スライド子あるいは蓄電池内に突起プラス溝などの保持機構を備えたことを特徴とする請求項２記載の電池パックの充電状態簡易判別機構。
【発明の詳細な説明】
【０００１】
【発明の属する技術分野】
本発明は、例えばコードレス電動工具等の電池パック使用機器の電源となる電池パックの充電状態を簡易的に判別できる電池パックの充電状態簡易判別機構に関するものである。以下説明の便宜上電池パック使用機器をコードレス電動工具（以下単に電動工具という）として説明する。
【０００２】
【従来の技術】
電池パックの充電状態を判別する方法として、充電時の充電電流を加算し、放電時の放電電流を減算して、その時の充電状態をＬＥＤ等で表示する方法がある。充電量を幾つかのＬＥＤの点灯、消灯で判別するやり方で、充電量が空の状態ではＬＥＤは消灯、充電量が増えるに従い、点灯するＬＥＤも増え、満充電で全てのＬＥＤが点灯する表示方法が一般的である。
【０００３】
【発明が解決しようとする課題】
電池パックの充電状態を検知する方法として充電電流、放電電流を加減算する方法は、充電状態を精度良く知ることができるので効果的な方法の一つである。一方、複雑な電子回路を構成しているためその分高価となる、また充電状態を監視するので電子回路を常時稼動させる必要があり、電池パック内の蓄電池を消費している欠点があった。
【０００４】
本発明の目的は、上記した従来技術の欠点をなくし、電池パックの充電状態を簡易に判別する充電状態簡易判別機構を提供することである。
【０００５】
【課題を解決するための手段】
電池パックの充電状態を知りたい事項として、今から使おうとしている電池パックが満充電か否か知りたい、ということが圧倒的に多い。従って、簡易的に満充電か否か判別する方法として、電池パックが充電完了後かまたは電動工具で使用したか否かが分かれば良い。
【０００６】
電池パックは充電器に挿入することで充電され、満充電になった時点で充電器から抜き出される。満充電の電池パックを使用する時は、電動工具本体の電池パック挿入口に電池パックを挿入する。この動作を利用し、充電器の電池パック挿入口に突起部、電動工具本体の電池パック挿入口に突起部、電池パックの挿入部面に前記突起部の入る移動口及び移動口間にスライド子を設け、電池パックが充電器または電動工具本体に挿入された時、前記スライド子が各々の突起部に当ることでいずれか一方の方向にスライドさせることにより、上記目的は達成される。
【０００７】
【発明の実施の形態】
以下実施形態を示した図面を参照して本発明を説明する。図１は電動工具の一例を示す要部断面図である。電動工具は、周知の如く、ハウジング１内にモータ部２、スイッチ３が設けられ、電池パック４の電力はスイッチ３を介してモータ２に供給され、駆動部５が駆動される。
【０００８】
図２（ａ）は電池パック４の平面図、図２（ｂ）は電池パック４の側面図及びスライド子移動口８の部分断面図、図３は図２（ｂ）をＡ方向から見た場合の電池パック４のスライド子移動口８の断面図をそれぞれ示す。
【０００９】
電池パック４には球状のスライド子６が設けられ、電池パック挿入部面となるケース７の上面に２個の移動口８が設けられている。
【００１０】
図４に電動工具の正面図、図５、ず６に電池パック４のスライド子移動口８とハウジングの電池パック挿入口９の断面拡大図を示す。
ハウジング１の電池パック挿入口９には電池パック４のスライド子移動口８の一方に入るハウジング側突起部１０が設けてあり、電池パック４をハウジング１の蓄電池挿入口９に挿入しようとすると、スライド子６が正面側より見て左側端部に静止している場合、ハウジング側突起部１０がスライド子移動口８を通ってスライド子６に当接し、スライド子６の円弧形状の作用により、スライド子６が右側にスライドする。電池パック４には戻り防止用の突起１１が設けられており、逆側から押されない限り戻ることはない。
【００１１】
次に、図７（ａ）に充電器の上面図、図７（ｂ）に充電器側面図及び電池パック挿入口１２の部分断面図を示す。
充電器の電池パック挿入口１２には、電池パック４のスライド子移動口８の他方に入る充電器側突起部１３が設けてある。なお、該充電器側突起部１３は、前記電池パック４に設けた２ヶ所のスライド子移動口８のうち、前記ハウジング側突起部１０が挿入するスライド子移動口８とは異なる側のスライド子移動口８に挿入されるものとする。
【００１２】
図８、図９に図７（ａ）でＢ方向から見た場合の電池パック４のスライド子移動口８及び充電器の電池パック挿入口１２の断面図を示す。
充電器の電池パック挿入口１２には電池パック４のスライド子移動口８の一方に入る充電器側突起部１３が設けてあり、電池パック４を充電器の電池パック挿入口１２に挿入しようとすると、スライド子６が正面側より見て右側端部に静止している場合、充電器側突起部１３がスライド子移動口８を通ってスライド子６に当接し、スライド子６の円弧形状の作用により、スライド子６が左側にスライドする。
【００１３】
このように、充電器に電池パック４を挿入すると、充電器側突起部１３がスライド子６と当接してスライド子６がスライドする。また、電池パック４を電動工具すなわちハウジング１に挿入した時と、充電器に挿入した時でスライド子６の位置が異なるようにすることで電池パック４を電動工具あるいは充電器から外した状態でも、この電池パック４が最後に挿入されたのが電動工具か充電器かがスライド子６の位置を見ることで容易に判別することができる。
【００１４】
図１０に示すように、ハウジング１の電池パック挿入口９の突起部１０が入る電池パック挿入口側に「満充電」、充電器側突起部１３が入る電池パック挿入口に「使用済」と記載しておくことにより、スライド子６の見える方が今の状態、例えば満充電または使用済みであることが容易に分かる。
【００１５】
【発明の効果】
本発明によれば、電池パックに挿入口を２ヶ所設け、使用機器あるいは充電器に挿入した際、使用機器ハウジングに設けた突起部あるいは充電器に設けた突起部が前記挿入口を通って電池パック内に設けたスライド子を移動させるようにしたので、電池パックが最終的に使用機器または充電器から外したものか判別できる。従って、充電器から外したものであれば電池パックの充電状態は満充電、使用機器から外したものであれば使用済みということが分かる。
【図面の簡単な説明】
【図１】電動工具の一例を示す断面図。
【図２】（ａ）本発明電池パックの一実施形態を示す平面図、（ｂ）電池パックの一部断面側面図。
【図３】図２（ｂ）のＡ矢視図。
【図４】本発明電池パックを挿入した状態を示す電動工具の一部断面正面図。
【図５】電池パック挿入前の状態を示す電動工具と電池パックを示す断面図。
【図６】電池パック挿入後の状態を示す電動工具と電池パックを示す断面図。
【図７】（ａ）充電器の平面図、（ｂ）充電器の一部断面側面図。
【図８】電池パック挿入前の状態を示す充電器と電池パックを示す断面図。
【図９】電池パック挿入後の状態を示す電動工具と電池パックを示す断面図。
【図１０】電池パックの他の実施形態を示す平面図。
【符号の説明】
１はハウジング、２はモータ部、３はスイッチ、４は電池パック、５は駆動部、６はスライド子、７は電池パックケース、８はスライド子移動口、９は電池パック挿入口、１０はハウジング側突起部、１１はスライド子の戻り防止用突起、１２は充電器の電池パック挿入口、１３は充電器側突起部。
【図１】
2004095299.tif 000003
【図２】
2004095299.tif 000004
【図３】
2004095299.tif 000005
【図４】
2004095299.tif 000006
【図５】
2004095299.tif 000007
【図６】
2004095299.tif 000008
【図７】
2004095299.tif 000009
【図８】
2004095299.tif 000010
【図９】
2004095299.tif 000011
【図１０】
2004095299.tif 000012